(57)【特許請求の範囲】
【請求項１】
クロスコネクト伝送装置の管理とコネクション制御とを行う網管理システムと、前記クロスコネクト伝送装置と前記網管理システムとを固定的に接続する第１のコネクションと、前記クロスコネクト伝送装置と前記網管理システムとを接続する毎に設定及び解放が行われる第２のコネクションとを含むネットワーク管理システムであって、
前記網管理システムに設けられかつ前記クロスコネクト伝送装置で収集された管理情報を要求する定期報告要求を前記第２のコネクションを介して前記クロスコネクト伝送装置に送信する手段と、
前記クロスコネクト伝送装置に設けられかつ前記定期報告要求の応答を前記第２のコネクションを介して前記網管理システムに送信する手段と、
前記クロスコネクト伝送装置に設けられかつ前記定期報告要求の応答を前記網管理システムに送信した後に自装置で収集した前記管理情報を前記第１のコネクションを介して前記網管理システムに送信する手段とを有することを特徴とするネットワーク管理システム。
【請求項２】
前記管理情報を定期的に前記網管理システムに通知する定期報告手段を前記クロスコネクト伝送装置に含むことを特徴とする請求項１記載のネットワーク管理システム。
【請求項３】
前記クロスコネクト伝送装置からの前記定期報告要求の応答を受信した後に前記第２のコネクションを解放する手段を前記網管理システムに含むことを特徴とする請求項１または請求項２記載のネットワーク管理システム。
【発明の詳細な説明】
【０００１】
【発明の属する技術分野】
本発明はネットワーク管理システムに関し、特にクロスコネクト伝送装置に対するコネクション制御を行う網管理システムを含むネットワーク管理システムのメッセージ通知方式に関する。
【０００２】
【従来の技術】
従来、この種のネットワーク管理システムにおいては、図２に示すように、網管理システム（ＯｐＳ）３とクロスコネクト伝送装置４とから構成され、クロスコネクト伝送装置４にはクロスコネクト伝送装置４の装置管理情報を定期的に網管理システム３に通知するための定期報告ホモジニアススキャナ４１と、クロスコネクト伝送装置４で収集された装置管理情報を保持する装置管理情報部４２とが設けられている。
【０００３】
上記のネットワーク管理システムにおいて、指定された管理対象からの同一属性種別の属性値の報告を促す同種属性検索定期報告要求による装置管理情報のメッセージ通知を行う場合、網管理システム３はクロスコネクト伝送装置４に操作メッセージを送信するために暫定コネクション３００を設定する。網管理システム３は設定した暫定コネクション３００を使用し、クロスコネクト伝送装置４の定期報告ホモジニアススキャナ４１に装置管理情報の取得を開始させるための同種属性検索定期報告要求３０１を送信する。
【０００４】
定期報告ホモジニアススキャナ４１は同種属性検索定期報告要求３０１を受信すると、指定された定期スケジュールに従って装置管理情報部４２に属性読出要求４０１を送信する。装置管理情報部４２は属性読出要求４０１を受信すると、保持している装置管理情報４０２を定期報告ホモジニアススキャナ４１に送信する。定期報告ホモジニアススキャナ４１は暫定コネクション３００を使用し、網管理システム３に装置管理情報３０２を送信する。
【０００５】
その後、網管理システム３は装置管理情報の定期報告の解除が必要であれば暫定コネクション３１０を使用し、定期報告ホモジニアススキャナ４１に設定された定期報告を解除する同種属性検索定期報告解除要求３１１を送信する。定期報告ホモジニアススキャナ４１は同種属性検索定期報告解除要求３１１を受信すると、定期報告の設定を解除し、同種属性検索定期報告要求応答３０３を暫定コネクション３００を使用して網管理システム３に送信する。
【０００６】
網管理システム３は同種属性検索定期報告要求応答３０３を受信すると、暫定コネクション３００を解放する。定期報告ホモジニアススキャナ４１は同種属性検索定期報告解除要求応答３１２を網管理システム３に送信する。網管理システム３は同種属性検索定期報告解除応答３１２を受信すると、暫定コネクション３１０を解放する。
【０００７】
【発明が解決しようとする課題】
上述した従来のネットワーク管理システムでは、クロスコネクト伝送装置に網管理システムが接続され、網管理システムがいくつかのコネクションを使用してクロスコネクト伝送装置の情報を取得している。
【０００８】
このネットワーク管理システムにおいて同種属性検索定期報告要求による装置管理情報を暫定コネクションを介して通知する場合、暫定コネクションが装置管理情報通知の取得完了まで解放できないので、網管理システムが使用可能な暫定コネクションが減り、網管理システムとして効率的なコネクション制御ができなくなる。
【０００９】
そこで、本発明の目的は上記の問題点を解消し、暫定コネクションの設定時間を短縮することができ、網管理システムとして効率的なコネクション制御を行うことができるネットワーク管理システムを提供することにある。
【００１０】
【課題を解決するための手段】
本発明によるネットワーク管理システムは、クロスコネクト伝送装置の管理とコネクション制御とを行う網管理システムと、前記クロスコネクト伝送装置と前記網管理システムとを固定的に接続する第１のコネクションと、前記クロスコネクト伝送装置と前記網管理システムとを接続する毎に設定及び解放が行われる第２のコネクションとを含むネットワーク管理システムであって、前記網管理システムに設けられかつ前記クロスコネクト伝送装置で収集された管理情報を要求する定期報告要求を前記第２のコネクションを介して前記クロスコネクト伝送装置に送信する手段と、前記クロスコネクト伝送装置に設けられかつ前記定期報告要求の応答を前記第２のコネクションを介して前記網管理システムに送信する手段と、前記クロスコネクト伝送装置に設けられかつ前記定期報告要求の応答を前記網管理システムに送信した後に自装置で収集した前記管理情報を前記第１のコネクションを介して前記網管理システムに送信する手段とを備えている。
【００１１】
すなわち、本発明によるネットワーク管理システムでは同種属性検索定期報告要求による装置管理情報の通知を恒久コネクションを使用して通知し、同種属性検索定期報告要求の応答を暫定コネクションを使用して装置管理情報の通知の前に返している。
【００１２】
この同種属性検索定期報告要求に対する応答を装置管理情報の通知の前に暫定コネクションを介して通知することで、暫定コネクションが装置管理情報通知の取得完了まで待つことなく解放されるので、暫定コネクションの設定時間を短縮することが可能となり、網管理システムとして効率的なコネクション制御を行うことが可能となる。
【００１３】
【発明の実施の形態】
次に、本発明の一実施例について図面を参照して説明する。図１は本発明の一実施例の構成を示すブロック図である。図において、本発明の一実施例によるネットワーク管理システムは同期基幹伝送通信網に適応されるクロスコネクト伝送装置２に網管理システム（ＯｐＳ）１が接続され、網管理システム１がいくつかのコネクションを使用してクロスコネクト伝送装置２の情報を取得するよう構成されている。つまり、網管理システム１はクロスコネクト伝送装置２の管理とコネクション制御とを行っている。
【００１４】
クロスコネクト伝送装置２にはクロスコネクト伝送装置２の装置管理情報を定期的に網管理システム１に通知するための定期報告ホモジニアススキャナ２１と、クロスコネクト伝送装置２の装置管理情報を収集する装置管理情報部２２と、網管理システム１にクロスコネクト伝送装置２からの通知を転送する情報転送部２３とが備えられている。
【００１５】
ここで、網管理システム１とクロスコネクト伝送装置２との間の暫定コネクション１００は網管理システム１がクロスコネクト伝送装置２を操作するための操作メッセージをクロスコネクト伝送装置２に対して送信する前に設定され、操作メッセージに対する応答を網管理システム１が受信した後に、網管理システム１が解放するコネクションである。
【００１６】
また、恒久コネクション１１０はクロスコネクト伝送装置２の装置管理情報を網管理システム１に通知するために使用され、クロスコネクト伝送装置２が網管理システム１に対して設定を行うコネクションであり、情報転送部２３と網管理システム１との間に固定的に設定されている。
【００１７】
網管理システム１はクロスコネクト伝送装置２に同種属性検索定期報告要求１０１の操作メッセージを送信するために暫定コネクション１００を設定する。網管理システム１は暫定コネクション１００を使用し、定期報告ホモジニアススキャナ２１に装置管理情報の取得を開始させるための同種属性検索定期報告要求１０１を送信する。尚、同種属性検索定期報告要求１０１は指定された管理対象からの同一属性種別の属性値の報告を促すためのものである。
【００１８】
定期報告ホモジニアススキャナ２１は同種属性検索定期報告要求１０１を受信すると、同種属性検索定期報告要求応答１０２を暫定コネクション１００を使用して網管理システム１に送信する。網管理システム１は同種属性検索定期報告要求応答１０２を受信すると、暫定コネクション１００を解放する。
【００１９】
その後、定期報告ホモジニアススキャナ２１は指定された定期スケジュールにしたがって装置管理情報を保持する装置管理情報部２２に属性読出要求２０１を送信する。装置管理情報部２２は属性読出要求２０１を受信すると、装置管理情報２０２を定期報告ホモジニアススキャナ２１に送信する。
【００２０】
定期報告ホモジニアススキャナ２１は装置管理情報部２２から装置管理情報２０２を受信すると、装置管理情報通知２０３を情報転送部２３に送出する。情報転送部２３は恒久コネクション１１０を使用して装置管理情報１１１を網管理システム１に通知する。
【００２１】
上記のように、装置管理情報１１１を恒久コネクション１１０を使用して網管理システム１に通知するようにしたため、暫定コネクション１００を使用した同種属性検索定期報告要求応答１０２を装置管理情報１１１の通知の前に返すことができ、網管理システム１は同種属性検索定期報告要求応答１０２を受信した後すぐに、暫定コネクション１００を解放することができる。
【００２２】
このように、本発明の一実施例によるネットワーク管理システムでは同種属性検索定期報告要求１０１による装置管理情報１１１の通知を恒久コネクション１１０を使用して通知し、同種属性検索定期報告要求応答１０２を装置管理情報１１１の通知の前に返すことによって、暫定コネクション１００が装置管理情報１１１の取得処理が開始される前に解放されるので、暫定コネクション１００の設定時間を短縮することができる。これによって、網管理システム１として効率的なコネクシヨン制御ができるようになる。
【００２３】
【発明の効果】
以上説明したように本発明によれば、クロスコネクト伝送装置の管理とコネクション制御とを行う網管理システムと、クロスコネクト伝送装置と網管理システムとを固定的に接続する恒久コネクションと、クロスコネクト伝送装置と網管理システムとを接続する毎に設定及び解放が行われる暫定コネクションとを含むネットワーク管理システムにおいて、クロスコネクト伝送装置で収集された管理情報を要求する定期報告要求に対する応答を自装置で収集した管理情報を恒久コネクションを介して網管理システムに送信する前に暫定コネクションを介して網管理システムに送信することによって、暫定コネクションの設定時間を短縮することができ、網管理システムとして効率的なコネクション制御を行うことができるという効果がある。
【図面の簡単な説明】
【図１】本発明の一実施例の構成を示すブロック図である。
【図２】従来例の構成を示すブロック図である。
【符号の説明】
１  網管理システム
２  クロスコネクト伝送装置
２１  定期報告ホモジニアススキャナ
２２  装置管理情報部
２３  情報転送部
１００  暫定コネクション
１１０  恒久コネクション
【図１】
0003542881.tif 000002
【図２】
0003542881.tif 000003